【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
固体撮像素子と、前記固体撮像素子を支持する支持部材と、を備え、各々が前記固体撮像素子へ電気的に接続された複数の導電部材が、前記固体撮像素子の１辺に沿った方向において並んで前記支持部材に取り付けられた撮像装置であって、
前記固体撮像素子は、前記複数の導電部材のうちの第１導電部材を通じて電源電圧を受け、前記複数の導電部材のうちの第２導電部材を通じて接地電圧を受け、前記複数の導電部材のうちの第３導電部材を通じて信号を出力するように構成されており、
前記方向において、前記第３導電部材に対して一方の側に前記第１導電部材と前記第２導電部材とが位置し、前記複数の導電部材は、前記第３導電部材に対して他方の側に、前記固体撮像素子に電源電圧を供給する導電部材と前記固体撮像素子に接地電圧を供給する導電部材とを含まないことを特徴とする撮像装置。
【請求項２】
前記第１導電部材と前記第３導電部材との距離は、前記第１導電部材と前記第２導電部材との距離以上であり、
前記第２導電部材と前記第３導電部材との距離は、前記第１導電部材と前記第２導電部材との距離以上であることを特徴とする請求項１に記載の撮像装置。
【請求項３】
前記第１導電部材と前記第３導電部材との距離は、前記第１導電部材と前記第２導電部材との距離よりも長く、
前記第２導電部材と前記第３導電部材との距離は、前記第１導電部材と前記第２導電部材との距離よりも長いことを特徴とする請求項１に記載の撮像装置。
【請求項４】
前記複数の導電部材は、前記第１導電部材から、前記第１導電部材と前記第２導電部材との距離未満の位置に、信号を伝達するための導電部材を含まず、
前記複数の導電部材は、前記第２導電部材から、前記第１導電部材と前記第２導電部材との距離未満の位置に、信号を伝達するための導電部材を含まないことを特徴とする請求項１乃至３の何れか１項に記載の撮像装置。
【請求項５】
前記第１導電部材は、前記固体撮像素子に電源電圧を供給する導電部材の内で、前記第３導電部材からの距離が最も小さい位置に配されていることを特徴とする請求項１乃至４の何れか１項に記載の撮像装置。
【請求項６】
前記第２導電部材は、前記固体撮像素子に接地電圧を供給する導電部材の内で前記第３導電部材からの距離が最も小さい位置に配されていることを特徴とする請求項１乃至５の何れか１項に記載の撮像装置。
【請求項７】
前記固体撮像素子は、前記第１導電部材及び前記第２導電部材の少なくとも一方に電気的に接続されたデジタル回路を含むことを特徴とする請求項１乃至６の何れか１項に記載の撮像装置。
【請求項８】
前記固体撮像素子は、前記第３導電部材を通じてアナログ信号を出力するように構成されることを特徴とする請求項１乃至７の何れか１項に記載の撮像装置。
【請求項９】
前記固体撮像素子は、前記第３導電部材よりも前記第１導電部材の近くに位置する第４導電部材を通じて前記固体撮像素子における信号処理に用いられる参照信号が入力されるように構成されることを特徴とする請求項１乃至８の何れか１項に記載の撮像装置。
【請求項１０】
前記固体撮像素子はＡＤ変換回路を含み、前記ＡＤ変換回路は前記参照信号と撮像信号との比較をしてＡＤ変換を行うように構成されることを特徴とする請求項９に記載の撮像装置。
【請求項１１】
前記第１導電部材は第１ボンディングワイヤを含み、
前記第２導電部材は第２ボンディングワイヤを含み、
前記第３導電部材は第３ボンディングワイヤを含み、
前記第１ボンディングワイヤと前記第３ボンディングワイヤとの距離は、前記第１ボンディングワイヤと前記第２ボンディングワイヤとの距離以上であり、
前記第２ボンディングワイヤと前記第３ボンディングワイヤとの距離は、前記第１ボンディングワイヤと前記第２ボンディングワイヤとの距離以上であることを特徴とする請求項１乃至１０の何れか１項に記載の撮像装置。
【請求項１２】
前記第１導電部材は第１ピンを含み、
前記第２導電部材は第２ピンを含み、
前記第３導電部材は第３ピンを含み、
前記第１ピンと前記第３ピンとの距離は、前記第１ピンと前記第２ピンとの距離以上であり、
前記第２ピンと前記第３ピンとの距離は、前記第１ピンと前記第２ピンとの距離以上であることを特徴とする請求項１乃至１０の何れか１項に記載の撮像装置。
【請求項１３】
固体撮像素子であって、
前記固体撮像素子の１辺に沿った方向において並んで設けられた複数の電極パッドを備え、
前記固体撮像素子は、前記複数の電極パッドのうちの第１電極パッドを通じて電源電圧を受け、前記複数の電極パッドのうちの第２電極パッドを通じて接地電圧を受け、前記複数の電極パッドのうちの第３電極パッドを通じてアナログ信号を出力するように構成され、
前記方向において、前記第３電極パッドに対して一方の側に前記第１電極パッドと前記第２電極パッドとが位置し、前記複数の電極パッドは、前記第３電極パッドに対して他方の側に、前記固体撮像素子に電源電圧を供給する電極パッドと前記固体撮像素子に接地電圧を供給する電極パッドとを含まないことを特徴とする固体撮像素子。
【請求項１４】
前記第１電極パッドと前記第３電極パッドとの距離は、前記第１電極パッドと前記第２電極パッドとの距離以上であり、
前記第２電極パッドと前記第３電極パッドとの距離は、前記第１電極パッドと前記第２電極パッドとの距離以上であることを特徴とする請求項１３に記載の固体撮像素子。
【請求項１５】
請求項１乃至１２の何れか１項に記載の撮像装置と、
前記撮像装置によって得られた信号を処理する信号処理部と、
を備えることを特徴とするカメラ。
【請求項１６】
請求項１乃至１２の何れか１項に記載の撮像装置と、
前記撮像装置を搭載した実装基板と、
を備えることを特徴とするカメラ。
【請求項１７】
請求項１３又は１４に記載の固体撮像素子と、
前記固体撮像素子によって得られた信号を処理する信号処理部と、
を備えることを特徴とするカメラ。
【手続補正２】
【補正対象書類名】明細書
【補正対象項目名】０００５
【補正方法】変更
【補正の内容】
【０００５】
上記課題に鑑みて、本発明の第１の観点では、固体撮像素子と、前記固体撮像素子を支持する支持部材と、を備え、各々が前記固体撮像素子へ電気的に接続された複数の導電部材が、前記固体撮像素子の１辺に沿った方向において並んで前記支持部材に取り付けられた撮像装置であって、前記固体撮像素子は、前記複数の導電部材のうちの第１導電部材を通じて電源電圧を受け、前記複数の導電部材のうちの第２導電部材を通じて接地電圧を受け、前記複数の導電部材のうちの第３導電部材を通じて信号を出力するように構成されており、前記方向において、前記第３導電部材に対して一方の側に前記第１導電部材と前記第２導電部材とが位置し、前記複数の導電部材は、前記第３導電部材に対して他方の側に、前記固体撮像素子に電源電圧を供給する導電部材と前記固体撮像素子に接地電圧を供給する導電部材とを含まないことを特徴とする撮像装置が提供される。
本発明の第２の観点では、固体撮像素子であって、前記固体撮像素子の１辺に沿った方向において並んで設けられた複数の電極パッドを備え、前記固体撮像素子は、前記複数の電極パッドのうちの第１電極パッドを通じて電源電圧を受け、前記複数の電極パッドのうちの第２電極パッドを通じて接地電圧を受け、前記複数の電極パッドのうちの第３電極パッドを通じてアナログ信号を出力するように構成され、前記方向において、前記第３電極パッドに対して一方の側に前記第１電極パッドと前記第２電極パッドとが位置し、前記複数の電極パッドは、前記第３電極パッドに対して他方の側に、前記固体撮像素子に電源電圧を供給する電極パッドと前記固体撮像素子に接地電圧を供給する電極パッドとを含まないことを特徴とする固体撮像素子が提供される。